(57)【要約】【課題】本発明は容易に一部を切り離して収納されていた商品を階段状に陳列することができるとともに、上段の棚板となる部分が強固で、かつ階段状に陳列した商品の側面も見えるようにすることができる商品梱包容器を得るにある。【解決手段】段ボ−ルや厚紙でほぼ直方体状に形成された商品梱包容器において、上面に位置する上部の前後天板あるいは左右天板を固定する包装用テ−プがヒンジ部材となって折りたためるように上部の左右天板の、該上部の前後天板間部位に形成された切欠部と、前記上部の前後天板間部位から前板の所定部位に位置するように左右側板および前板に形成された上部陳列棚形成用の切目線と、この上部陳列棚形成用の切目線の前記前板に形成された部位よりも下部位置および両端部が角部あるいは前記左右側板の前板寄りの部位に形成された開口部形成用の切目線とで商品梱包容器を構成している。【選択図】　図１
2004083096.tif 000002
【特許請求の範囲】
【請求項１】
段ボ−ルや厚紙でほぼ直方体状に形成された商品梱包容器において、上面に位置する上部の前後天板あるいは左右天板を固定する包装用テ−プがヒンジ部材となって折りたためるように上部の左右天板の、該上部の前後天板間部位に形成された切欠部と、前記上部の前後天板間部位から前板の所定部位に位置するように左右側板および前板に形成された上部陳列棚形成用の切目線と、この上部陳列棚形成用の切目線の前記前板に形成された部位よりも下部位置および両端部が角部あるいは前記左右側板の前板寄りの部位に形成された開口部形成用の切目線とからなることを特徴とする商品梱包容器。
【請求項２】
段ボ−ルや厚紙でほぼ直方体状に形成された商品梱包容器において、上部に位置する上部の前後天板あるいは左右天板を固定する包装用テ−プがヒンジ部材となって折りたためるように上部の左右天板の、該上部の前後天板間部位に形成された切欠部と、前記上部の前後天板間部位から前板の中央部に位置するように、左右側板および前板に形成された上部陳列棚形成用の切目線と、この上部陳列棚形成用の切目線の前記前板に形成された部位よりも下部位置および両端部が角部あるいは前記左右側板の前板寄りの部位に形成された開口部形成用の切目線と、この開口部形成用の切目線あるいは、該開口部形成用の切目線と前記上部陳列棚形成用の切目線との間に形成された切断部とからなることを特徴とする商品梱包容器。
【発明の詳細な説明】
【０００１】
【発明の属する技術分野】
本発明は商品を収納して輸送するとともに、商品を販売する場合には陳列ケ−スとして使用することができる段ボ−ル箱等の商品梱包容器に関する。
【０００２】
【従来の技術】
従来、この種の商品梱包容器は、複数の商品を梱包した状態にある梱包容器の一部を切断して開閉することによって、これを上下二段からなる商品の陳列ケ−スとして使用できるようにしたものである。
【０００３】
【発明が解決しようとする課題】
従来の陳列ケ−スとして使用できる商品梱包容器は、複数の商品を梱包した状態にある梱包容器の一部の切り離し作業が以外と面倒であったり、上下二段からなる商品の陳列ケ−スとして使用する際、不意の外力等によって上段の陳列部から商品が落下し易い難点や、上段の陳列部の下段の陳列部の上で安定状態での維持が確実でない等の欠点があった。
【０００４】
本発明は以上のような従来の欠点に鑑み、容易に一部を切り離して収納されていた商品を階段状に陳列することができるとともに、上段の棚板となる部分が強固で、かつ階段状に陳列した商品の側面も見えるようにすることができる商品梱包容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は段ボ−ルや厚紙でほぼ直方体状に形成された商品梱包容器において、上面に位置する上部の前後天板あるいは左右天板を固定する包装用テ−プがヒンジ部材となって折りたためるように上部の左右天板の、該上部の前後天板間部位に形成された切欠部と、前記上部の前後天板間部位から前板の所定部位に位置するように左右側板および前板に形成された上部陳列棚形成用の切目線と、この上部陳列棚形成用の切目線の前記前板に形成された部位よりも下部位置および両端部が角部あるいは前記左右側板の前板寄りの部位に形成された開口部形成用の切目線とで商品梱包容器を構成している。
【０００７】
【発明の実施の形態】
以下、図面に示す実施の形態により、本発明を詳細に説明する。
【０００８】
図１ないし図６に示す本発明の第１の実施の形態において、１は段ボ−ルや厚紙でほぼ直方体状に形成された本発明の商品梱包容器で、この商品梱包容器１は四角筒状に形成された前後板２、２および左右側板３、３とからなる筒状の容器本体４と、この容器本体４の前記前後板２、２の上部と一体形成された、閉じ状態で大きな隙間が生じることのない大きさの上部の前後天板５、５と、前記容器本体４の前記左右側板３、３の上部と一体形成された、閉じ状態で大きな隙間が生じることのない大きさの上部の左右天板６、６と、上面に位置する前記左右天板６、６を固定する包装用テ−プ７がヒンジ部８となって折りたためるように前記上部の前後天板５、５間部位に形成された切欠部９、９と、前記上部の前後天板５、５間部位から前記前板２の所定部位、本発明の実施の形態ではほぼ中央部に位置するように前記左右側板３、３および前板２に形成された上部陳列棚形成用の切目線１０と、この上部陳列棚形成用の切目線１０の前記前板２に形成された部位よりも下部位置および両端部が角部あるいは前記左右側板３、３の前板２寄りの部位に形成された開口部形成用の切目線１１と、この開口部形成用の切目線１１と前記上部陳列棚形成用の切目線１０の前記前板２のほぼ中央部に形成された切抜き孔形成切目線１２および、該切抜き孔形成用切目線１２の左右部位を分離できるようにする分離用切目線１３、１３とからなる切断部１４と、前記容器本体４の前記前後板２、２の下部と一体形成された下部の前後底板１５、１５と、前記容器本体４の前記左右側板３、３の下部と一体形成された下部の左右底板１６、１６とで構成されている。
【０００９】
上記構成の商品梱包容器１は、底面は従来と同様に左右底板１６、１６を折り曲げた後、前後底板１５、１５を折り曲げ先端部をはめ込んで固定する。
しかる後、容器本体４内に上部より商品１７を収納し、前後天板５、５を折り曲げた後、左右天板６、６を折り曲げ、該左右天板６、６に形成された切欠部９、９がヒンジ部８となるように包装用テ−プ７で左右天板６、６を固定する。
この左右天板６、６を固定する包装用テ−プ７は容器本体４の左右側板３、３に位置しないように貼る。
【００１０】
この状態で輸送や保管され、商品を販売する場合には切断部１４の切抜き孔形成切目線１２の中央部に親指等を押しつけることによって、切抜き孔１２ａが形成され、該切抜き孔１２ａに指先を挿入して、左右部位を前方へ引張ることにより、上部陳列棚形成用の切目線１０と開口部形成用の切目線１１が切断でき、開口部形成片１８、１８が除去される。
次に、上部陳列棚１９となる部位を、ヒンジ部８を支点に回動させることにより上部陳列棚１９を上部に位置させることができる。
この状態では切欠部９、９が形成された左右天板６、６は前後天板５、５間に位置され、左右天板６、６が下方へ垂れ下がったりして見苦しくなるのが防止されるとともに、容器本体４内に収納された商品１７を上部陳列棚１９に前面部が階段状になるように移して陳列することができる。
この場合、側面からでも前面部に位置する商品を見えるようにできる。
【００１１】
また、図６に示すように、容器本体４の後方下部に上部が階段状の支持台２０を収納しておくことにより、陳列をデットスペ−スが生じないようにできる。
なお、支持台２０は発泡スチロ−ルや段ボ−ルを用いて形成したもの等が使用される。
【００１２】
【発明の異なる実施の形態】
次に、図７ないし図１３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図７および図８に示す本発明の第２の実施の形態において、前記本発明の第１の実施の形態と主に異なる点は、左右側板３、３にも開口部２１、２１を形成できるように開口部形成用の切目線１１Ａを形成するとともに、前板２のほぼ中央下部に台形状の切断部１４Ａを形成した点で、このように構成した商品梱包容器１Ａにしても、前記本発明の第１の実施の形態と同様な作用効果が得られる。
【００１４】
図９および図１０に示す本発明の第３の実施の形態において、前記本発明の第２の実施の形態と主に異なる点は、前板２の下部から３分の１の部位に上部陳列棚形成用の切目線１０Ａを形成した点で、このように構成した商品梱包容器１Ｂは、前記本発明の第２の実施の形態と同様な作用効果が得られるとともに、上部陳列棚１９Ａに商品１７を３階段状に陳列することができる。
【００１５】
図１１ないし図１３に示す本発明の第４の実施の形態において、前記本発明の第３の実施の形態と主に異なる点は、後方より３分の１部分で対向する前後天板５Ａ、５Ｂと、この前後天板５Ａ、５Ｂ間部位に切欠部９、９を形成した上部左右天板６Ａ、６Ａとを用いた点で、このように構成した商品梱包容器１Ｃは、前記本発明の第３の実施の形態と同様な作用効果が得られるとともに、上部陳列棚１９Ｂの後方を容器本体４の後方へ突出した状態で使用することができる。
【００１６】
【発明の効果】
以上の説明から明らかなように、本発明にあっては次に列挙する効果が得られる。
【００１７】
（１）段ボ−ルや厚紙でほぼ直方体状に形成された商品梱包容器において、上面に位置する上部の前後天板あるいは左右天板を固定する包装用テ−プがヒンジ部材となって折りたためるように上部の左右天板の、該上部の前後天板間部位に形成された切欠部と、前記上部の前後天板間部位から前板の所定部位に位置するように左右側板および前板に形成された上部陳列棚形成用の切目線と、この上部陳列棚形成用の切目線の前記前板に形成された部位よりも下部位置および両端部が角部あるいは前記左右側板の前板寄りの部位に形成された開口部形成用の切目線とで構成されているので、開口部形成用の切目線と上部陳列棚形成用の切目線を切断することにより、上部陳列棚を形成することができる。
したがって、前面を階段状に商品を位置させて陳列することができ、商品の輸送、保管と、商品の陳列とを兼用して使用することができる。
【００１８】
（２）前記（１）によって上部の左右天板に、上部の前後天板間に位置する部位に切欠部を形成しているので、該切欠部で上部陳列棚の折り曲げ部分にできる。したがって、上部陳列棚の底面は上部の前後天板および上部の左右天板が位置し、十分な強度が得られる。
【００１９】
（３）前記（１）によって、開口部形成用の切目線と上部陳列棚形成用の切目線を切断するだけでよいので、容易に、誰でもが確実に使用することができる。
【００２０】
（４）前記（１）によって、輸送用の容器をそのまま商品陳列棚として使用できるので、自社商品の陳列スペ−スを確実に確保することができる。
【００２１】
（５）前記（１）によって、上部の前後天板を折り曲げた後、上部の左右天板を折り曲げ、上部の前後天板間部位方向に包装用テ−プを用いて上部の左右天板を固定することにより、使用時には上部の前後天板間に上部の左右天板を位置させることができる。
したがって、使用状態で切欠部が形成された上部の左右天板が垂れ下がったりして見苦しくなるのを確実に防止することができる。
【００２２】
（６）請求項２も前記（１）〜（５）と同様な効果が得られる。
【図面の簡単な説明】
【図１】本発明の第１の実施の形態の斜視図。
【図２】本発明の第１の実施の形態の前後天板を折り曲げた説明図。
【図３】本発明の第１の実施の形態の展開図。
【図４】本発明の第１の実施の形態の陳列棚として使用する場合の説明図。
【図５】本発明の第１の実施の形態の陳列棚としての使用状態の斜視図。
【図６】本発明の第１の実施の形態の支持台を用いた説明図。
【図７】本発明の第２の実施の形態の斜視図。
【図８】本発明の第２の実施の形態の陳列棚としての使用状態の斜視図。
【図９】本発明の第３の実施の形態の斜視図。
【図１０】本発明の第３の実施の形態の陳列棚としての使用状態の斜視図。
【図１１】本発明の第４の実施の形態の斜視図。
【図１２】本発明の第４の実施の形態の前後天板を折り曲げた説明図。
【図１３】本発明の第４の実施の形態の陳列棚としての使用状態の斜視図。
【符号の説明】
１、１Ａ、１Ｂ、１Ｃ：商品梱包容器、
２：前後板、　　　　　　３：左右側板、
４：容器本体、
５、５Ａ、５Ｂ：上部の前後天板、
６、６Ａ：上部の左右天板、
７：包装用テ−プ、　　　８：ヒンジ部、
９：切欠部、
１０、１０Ａ：上部陳列棚形成用の切目線、
１１、１１Ａ：開口部形成用の切目線、
１２：切抜き孔形成切目線、
１３：分離用切目線、　　１４、１４Ａ：切断部、
１５：下部の前後底板、　１６：下部の左右底板、
１７：商品、　　　　　　１８：開口部形成片、
１９、１９Ａ、１９Ｂ：上部陳列棚、
２０：支持台、　　　　　２１：開口部。
【図１】
2004083096.tif 000003
【図２】
2004083096.tif 000004
【図３】
2004083096.tif 000005
【図４】
2004083096.tif 000006
【図５】
2004083096.tif 000007
【図６】
2004083096.tif 000008
【図７】
2004083096.tif 000009
【図８】
2004083096.tif 000010
【図９】
2004083096.tif 000011
【図１０】
2004083096.tif 000012
【図１１】
2004083096.tif 000013
【図１２】
2004083096.tif 000014
【図１３】
2004083096.tif 000015